(57)【特許請求の範囲】
【請求項１】
一枚の良導体金属板で成形加工されたコンタクト本体(1)と、これを覆う絶縁樹脂ハウジング(2)とからなり、
前記コンタクト本体(1)が、後端側に被覆電線圧接用通電溝(11)を備え、中間部にハウジング(2)と契合する抜け止め突起(12)を備え、先端側にコンタクト部(13)を備え、該コンタクト部(13)が、その後端側部分がＵの字形または□の字形等の平行壁(14，14)を有する形状とされ、その先端側部分が下半壁を切除し上半壁のみを前方に突出させたほぼ平行な二枚の突出壁(15，15)に形成され、コネクタどうしのコンタクト時にこれら二枚の突出壁(15，15)の外面と前記平行壁(14，14)の内面とが相互に接触する構造とされ、
前記ハウジング(2)が、一端側に電線挿通孔(21)を備え、先端側の内面に前記コンタクト本体(1)の抜け止め突起(12)と契合する契合段部(22)を備え、他のハウジングとの結合時に抜け止め作用を果たす係止穴(23)と係止突起(24)とを備えた構造とされ、かつ、先端側の形状が左右と上下を逆向きとした状態で相互に嵌合可能な対称形に形成され、
二つのコネクタどうしを左右と上下を逆向きとして差し込み電気的接続を行うことができる雌雄同体構造としてある電線中継コネクタ。
【請求項２】
二枚の突出壁(15，15)が、平行壁(14，14)の内面と接触するための小突起(16，16)をそれぞれ外面に向けて突出させてある構造を備えている請求項１に記載の電線中継コネクタ。
【発明の詳細な説明】
【技術分野】
【０００１】
本発明は、二本の電線どうしを接続通電させるために使用する電線中継コネクタに関するものである。殊に、通信用ケーブルのように微小で微細な弱電線どうしの通電に適した構造とした電線中継コネクタに関するものである。
【背景技術】
【０００２】
従来から、このような電線どうしを接続通電させるための電線中継コネクタは周知であり、多種多様の形状のものが既に製造され使用されている。また、通信用ケーブルのように微小で微細な弱電線どうしの通電に使用するコネクタも既に知られている。
【０００３】
更には、通信用ケーブルのように微小で微細な弱電線どうしを接続するためのコネクタや、ケーブルの被覆を剥離することなく所定幅に形成した圧接用溝に被覆線を圧入して通電する圧接通電方式も知られている（特許文献１参照）。
【０００４】
他方、二つのコネクタを左右と上下を互いに逆向きとして嵌合接続することができるように形成したコネクタについても公知になっている（特許文献２参照）。
【先行技術文献】
【特許文献】
【０００５】
【特許文献１】特開２００５−１４９９３５号公報
【特許文献２】実開平３−１２７７８０号公報
【発明の概要】
【発明が解決しようとする課題】
【０００６】
前者の特許文献１には、圧接方式のジョイントコネクタが示され、その構造として、複数本の被覆電線を並列配置し、所定幅の圧接用溝を備えた複数の圧接端子にそれぞれ圧入して通電する圧接通電構造が示されている。しかしながら、通電接続を行う接続端子部の構造が、挿入側の雄形端子とこの雄形端子を受け入れる雌形端子という互いに形状の異なる嵌合構造とされ、それ故に、これらの接続端子部を覆う第１ハウジングと第２ハウジングの構造も互いに内外嵌め込み式の大小異形構造とされており、製造に当たって、コネクタもハウジングも雌雄個別の金型を必要とし、雌雄別々の組み立てを必要とし、雌雄一組をセットとして販売しなければならない点で不都合な構造となっている。
【０００７】
また、後者の特許文献２には接続器が示され、ここには、二つの接続器を互いに上下・左右逆向きにして接続可能な構造とすることが示されている。しかしながら、ここに記載の接続器にあっても、通電接続を行う接続部材の構造を、端子部と刃受ばねを備えたものとし、この刃受ばねの構造を、割溝によって上下に二分され、上部刃受ばねには、摺動刃保持部材に連結されたスライド釦の操作によって出退する摺動刃が摺動可能に保持され、下部刃受ばねには、相手方の摺動刃が差し込まれて電気的接続が達成されるようにした刃受けばね構造としてあり、即ち、上部の摺動刃が挿入側の雄形端子とされ、下部の刃受けばねが雄形端子を受け入れる雌形端子とされ、これら異形の摺動刃と刃受けばねとが摺動刃保持部材スライド操作によって通電接続する構造としたものである。また、ここに示された接続器には、前記接続部材とは別に、係合部がケースから突出した部分に設けられているロック兼ガイド部材が、スライド釦に設けられた係止片と係合して抜け止めされる構造としたものである。それ故、全体として部品点数が多く構造が複雑で、製造や組み立てが容易ではなく、高コストにならざるを得ないという課題を有するものとなっている。
【０００８】
そこで、本発明は、このような従来公知のコネクタが有していた上記の各課題を解決することができる全く新しい思想に基づいて開発されたコネクタであって、通電接続を行う金属コンタクト本体を一枚の良導体金属板で形成した単一体とし、該コンタクト本体と被覆電線との接続をワンタッチ接続が可能なものとし、このコンタクト本体を覆う絶縁樹脂ハウジングも簡単なコネクタ覆い体とし、その先端側の構造を左右と上下を逆向きにして嵌合接続することができる形状として、二つのコネクタどうしを左右と上下を逆向きにして嵌合接続することができ、これら二つのコネクタどうしを電気的に接続させると同時に抜け止め作用をも完了させることができる構造とした電線中継コネクタを、全体的に簡易な構造で、製造並びに組み立てが容易で、低コストで生産することができるようにした電線中継コネクタをここに提供するものである。
【課題を解決するための手段】
【０００９】
該目的を達成するために講じた本発明にいうところの電線中継コネクタの構成を説明すると、一枚の良導体金属板で成形加工されたコンタクト本体１と、これを覆う絶縁樹脂ハウジング２とからなり、前記コンタクト本体１が、後端側に被覆電線圧接用通電溝１１を備え、中間部にハウジング２と契合する抜け止め突起１２を備え、先端側にコンタクト部１３を備え、該コンタクト部１３が、その後端側部分がＵの字形または□の字形等の平行壁１４，１４を有する形状とされ、その先端側部分が下半壁を切除し上半壁のみを前方に突出させたほぼ平行な二枚の突出壁１５，１５に形成され、コネクタどうしのコンタクト時にこれら二枚の突出壁１５，１５の外面と前記平行壁１４，１４の内面とが相互に接触する構造とされ、前記ハウジング２が、一端側に電線挿通孔２１を備え、先端側の内面に前記コンタクト本体１の抜け止め突起１２と契合する契合段部２２を備え、他のハウジングとの結合時に抜け止め作用を果たす係止穴２３と係止突起２４とを備えた構造とされ、かつ、先端側の形状が左右と上下を逆向きとした状態で相互に嵌合可能な対称形に形成され、二つのコネクタどうしを左右と上下を逆向きとして差し込み電気的接続を行うことができる雌雄同体構造としたものである。
【００１０】
また、請求項２に記載の電線中継コネクタの構成は、請求項１に記載のコネクタに従属する構成であって、二枚の突出壁１５，１５が、平行壁１４，１４の内面と接触するための小突起１６，１６をそれぞれ外面に向けて突出させてある構造を備えている構成としたものである。
【発明の効果】
【００１１】
本発明にいうところの電線中継コネクタは、コンタクト本体を一枚の良導体金属板で成形加工した単一体とし、これを覆う絶縁樹脂ハウジングを部品数の少ない簡単な覆い体とし、その先端側の形状を左右と上下を逆向きとして相互に嵌合可能な形状とし、同一体とした二つのコネクタを左右と上下を逆向きとして嵌合接続可能な雌雄同体構造としてあるので、製造に当たっては、コンタクト本体も樹脂ハウジングも単一構造体を量産すればよく、その形成に使用する金型類も少なくて済み、製造後の製品も一種類で足り、雌雄一対宛に組み合わせセットして販売する必要がないのでセット作業を省略でき、コンタクトには被覆電線圧接用通電溝を形成してあるので、需用者における被覆電線との電気的接続はほぼワンタッチ操作で容易にでき、コネクタどうしの接続もほぼワンタッチ操作ででき、接続後は接続状態を自動的に維持し容易に離脱することがない状態で使用できる構造としたコネクタを容易に得ることができる。
【００１２】
また、請求項２に記載のコネクタにあっては、二枚の突出壁が、平行壁の内面と接触するための小突起をそれぞれ外面に向けて突出させてあるので、これらの小突起をコネクタ突出壁の内面と面接触させることができ、確実な通電接続を行わせ易い利点がある。
【図面の簡単な説明】
【００１３】
【図１】コンタクト本体の正面図。
【図２】図１の平面図。
【図３】図１の底面図。
【図４】図１の左側面図。
【図５】図１のＡ−Ａ部切断端面図。
【図６】図１のＢ−Ｂ部切断端面図。
【図７】図１のＣ−Ｃ部断面図。
【図８】図１のＤ−Ｄ部切断端面図。
【図９】図１のＥ−Ｅ部断面図。
【図１０】図２のＦ−Ｆ部断面図。
【図１１】コンタクト本体どうしの連結状態説明図。
【図１２】ハウジングの外観正面図。
【図１３】同平面図。
【図１４】同底面図。
【図１５】同左側面図。
【図１６】同右側面図。
【図１７】コネクタ二体を対向配置させた斜視図。
【図１８】コネクタ二体の接続状態説明用中央縦断正面図。
【発明を実施するための形態】
【００１４】
本発明にいうコンタクト本体１を形成する良導体金属板の素材は、例えば、りん青銅のような銅系の素材が好ましいが、アルミ合金系の素材であっても使用することができる。また、ハウジングを形成する絶縁樹脂素材としては、例えば、ポリカーボネートのようなポリエステル系の樹脂が耐衝撃性・機械的強度に優れている点で好ましいが、絶縁性に優れている樹脂であればよく、特に限定する意図はない。
【実施例】
【００１５】
以下本発明の実施例について図面に基づいて説明する。本発明にいう電線中継コネクタは、全体を一枚のりん青銅製の金属板で成形加工したコンタクト本体１と、これを内挿してその外周部の全体を覆うポリカーボネート製のハウジング２とによって構成してある。そこで、先ず、コンタクト本体１の実施例から図１乃至図１０を用いてその構造を説明する。
【００１６】
該コンタクト本体１は、図１〜３に示した長手方向後端側（図２に記載の左側）部分Ｌを、図４の左側面図及び図７のＣ−Ｃ断面図のように、上部開口のコの字形に形成し、後記図１７に示したように、被覆電線３を圧入して絶縁被覆３２を剥離させることにより、被覆内の電線３１と接触させて通電させるようにした電気的圧接用通電溝１１を、図４，７のように、上縁部から下方に向けて切り込み形成してある前後二枚の通電壁１１ａ，１１ａを、底壁を立ち上げて形成してある。
【００１７】
続く、長手方向中間部分Ｍは、その後半部分を図５のＡ−Ａ断面図のように断面□の字形に形成し、その前方部分を図６のＢ−Ｂ断面図のように断面Ｕの字形に形成して、その対向壁を平行壁１４，１４としてある。更にその先端側部分Ｎは、図１の正面図のように下半壁を切除して上半壁のみを残した形状として前方に向けてほぼ平行に突出させた二枚の突出壁１５，１５からなるコンタクト部１３を形成してある。また、前記断面□の字形に形成した部分の上壁１２ａには、後述するハウジング２の契合段部２２と契合する抜け止め突起１２を、後方上向きに立ち上がらせて形成してある。
【００１８】
また、前記二枚の突出壁１５，１５は、次に図１１を用いて説明するコネクタどうしのコンタクト時に、これら二枚の突出壁１５，１５の外面が前記平行壁１４，１４の内面と相互に弾性的に接触して通電する間隔に形成してある。この接触通電をより確実に行わせるために、該実施例のコネクタにあっては、同突出壁１５，１５には、平行壁１４，１４の内面と面接触させるための小突起１６，１６をそれぞれ外面に向けて突出形成させてある。
【００１９】
このような構造としたコンタクト本体１どうしの接触通電は、言うまでもなくハウジング２内に内挿された状態で、雌雄同体構造とした二つのハウジング２，２どうしを図１６に斜視図で示したように、左右と上下を逆向きとして相互に差し込み嵌合させることによって行うようにしたものである。
【００２０】
このコンタクト本体１どうしの連結状態を説明するため、図１１の上段・中段・下段に平面図を上側に、正面図を下側にして経時的に示した。先ず、上段の図のように、互いに離れた二つのコンタクト本体１，１どうしを挿入方向に移動させる。続いて中段の図のように、先端のコンタクト部１３どうしが正面視で上下に位置する状態で、その最先端部が断面∪の字形とした平行壁１４，１４の位置まで移動し、更に進んで下段の図のように、先端のコンタクト部１３が互いに相手方の平行壁１４，１４内に進入し、これら両部の対向面どうしが、即ち、コンタクト部１３を構成する突出壁１５，１５の外側面と、平行壁１４，１４の内側面とが弾性的に接触して通電可能な状態となる。該実施例に示したコンタクト部１３を構成する突出壁１５，１５には、それぞれ外面側に向かって突出する小突起１６，１６を形成してあるので、平行壁１４，１４の内側面とはこれらの小突起１６，１６が面接触して通電可能状態となるようにしてある。
【００２１】
次に、このような構造としたコンタクト本体１を絶縁状態に内包させるハウジング２について説明する。このハウジング２の形成素材は絶縁性を有する樹脂素材であれば、特に限定するものではないが、該実施例に示したハウジング２にあっては、ポリカーボネート樹脂素材を用いて成形してある。
【００２２】
その構造は、図１２乃至１６にその外観形状を示したように、ハウジング本体２０Ａと蓋体２０Ｂとからなり、図１２の正面図における左半部を略Ｕの字形に形成して前記コンタクト本体１における長手方向後端側部分Ｌを収容させ、その上部を蓋体２０Ｂによって覆う構造としてある。この蓋体２０Ｂは、前記コンタクト本体１における通電壁１１ａ，１１ａの上に被覆電線３を載置した後に上部から加圧してハウジング本体２０Ａに対して取り付けることによって、被覆電線３を電気的圧接用通電溝１１内に同時に押し込んで、図１８のように通電可能状態とする。このとき、コンタクト本体１における長手方向中間部分Ｍの平行壁１４部分及び先端側部分Ｎのコンタクト部１３も、図１８のようにそれぞれハウジング本体２０Ａ内に配置される。
【００２３】
而して、該ハウジング２は、図１６の右側面図、図１７のコネクタ二体を対向配置させた外観斜視図のように、コンタクト本体１における長手方向中間部分Ｍと先端側部分Ｎを覆わせる先端側の所定長さ部分を上下に分割させて、互いに嵌合可能な大きさとした大形の庇部分２７と小形の挿入部分２８とに形成し、大形の庇部分２７に係止穴２３を設け、その対称箇所に係止突起２４を突出形成してあるものとし、二体連結時にこれらの係止穴２３と係止突起２４とが互いに契合して抜け止め作用を果たす用にしてある。
【００２４】
換言すると、該ハウジング２は、図１８のコネクタ二体の接続状態説明用の中央縦断面図に示したように、一端側に電線挿通孔２１を備えていて、コンタクト本体１の抜け止め突起１２と契合する契合段部２２を大形庇部分２７の基部に備え、二体のハウジング２，２どうしの結合時に抜け止め作用を果たす係止穴２３と係止突起２４とが形成されている構造としたものである。
【００２５】
各図は理解を容易にするため大きく図示してあるが、本実施例に示したコネクタの大きさを参考までに記載すると、図１に示したコンタクト本体１の左右長は２３〜２５ｍｍ、図１２に示したハウジング２の左右長は２５〜２７ｍｍ程度のものである。この大きさは接続する被覆電線の線径・通電力の大きさにより異なる。
【００２６】
以上本発明の代表的と思われる実施例について説明したが、本発明は本発明にいう前記の構成要件を充足し、前記の目的を達成し、前記の効果を有する範囲内において適宜に改変して実施することができるものである。
【産業上の利用可能性】
【００２７】
本発明にいうコネクタは、被覆電線との通電操作のみならず、コネクタどうしの接続を極めて簡単なほぼワンタッチ的な操作で完了できるので、市場において大いに使用される可能性を大きく秘めたものである。
【符号の説明】
【００２８】
１  コンタクト本体
２  ハウジング
１１  通電溝
１２  抜け止め突起
１３  コンタクト部
１４  平行壁
１５  突出壁
１６  小突起
２１  電線挿通孔
２２  契合段部
２３  係止穴
２４  係止突起
【図１】
0005364687.tif 000002
【図２】
0005364687.tif 000003
【図３】
0005364687.tif 000004
【図４】
0005364687.tif 000005
【図５】
0005364687.tif 000006
【図６】
0005364687.tif 000007
【図７】
0005364687.tif 000008
【図８】
0005364687.tif 000009
【図９】
0005364687.tif 000010
【図１０】
0005364687.tif 000011
【図１１】
0005364687.tif 000012
【図１２】
0005364687.tif 000013
【図１３】
0005364687.tif 000014
【図１４】
0005364687.tif 000015
【図１５】
0005364687.tif 000016
【図１６】
0005364687.tif 000017
【図１７】
0005364687.tif 000018
【図１８】
0005364687.tif 000019